【手続補正書】
【提出日】平成20年6月23日(2008.6.23)
【手続補正１】
【補正対象書類名】明細書
【補正対象項目名】特許請求の範囲
【補正方法】変更
【補正の内容】
【特許請求の範囲】
【請求項１】  流体装置内で混合に用いる差動噴出器において、
内部に配備されたベンチュリーと、第１および第２の壁部とを備えた実質上円筒形の流体導管と、前記実質上円筒形の流体導管と同心状に一列に配備され、入口ポート、スロート部と出口ポートとを有する前記ベンチュリーであって、該ベンチュリーを通って一次流体の流れを作るための前記ベンチュリーと、
前記一次流体と混合するために二次流体を供給するための二次流体ポートであって、二次流体を複数の流路に分配するために前記実質上円筒形の流体導管の前記第１の壁部内に配置された前記二次流体ポートとを備え、前記複数の流路は、前記実質上円筒形の流体導管の前記第２の壁部内に配置され、前記スロート部の下流位置で二次流体を供給し、前記複数の流路は、一列に並び、第一及び第二の流路グループを含み、第一の流路グループは第二の流路グループと実質上円筒形の流体導管の前記第２の壁部の内面部分の間に配置され、前記第一及び第二の流路グループは前記実質上円筒形の流体導管内の第一及び第二の出口ポートのそれぞれにおいて終端となり、前記第一及び第二の出口ポートの間に前記第２の壁部の内面部の一部が配置され、前記第２の壁部の内面部は乱流が増加するように少なくとも１つの表面むらを有し、前記一次流体と前記二次流体の混合を改良するためにトロイダル渦を発生させる
ところの差動噴出器。
【請求項２】  前記実質上円筒形の流体導管が更にその中心部に同心上に環状空間を備える請求項１の流体装置内の混合用差動噴出器。
【請求項３】  前記空間が、前記二次流体ポートと連通するような寸法で形成されて配置される請求項２の流体装置内の混合用差動噴出器。
【請求項４】  前記環状空間が、前記二次流体ポート及び前記複数の流路と連通するような寸法で形成されて配置される請求項２の流体装置内の混合用差動噴出器。
【請求項５】  前記複数の流路が前記ベンチュリーの周縁で前記第２の壁部内に配置される請求項１の流体装置内の混合用差動噴出器。
【請求項６】  前記実質上円筒形の流体導管は合成樹脂素材により作られている請求項１の流体装置内の混合用差動噴出器。
【請求項７】  前記流路が前記接続壁を通じて集積的に形成されている請求項１の流体装置内の混合用差動噴出器。
【請求項８】  前記集積的に形成された流路が、少なくとも前記第２の壁部の一部と集積的に形成されている請求項７の流体装置内の混合用差動噴出器。
【請求項９】  前記少なくとも１つの表面むらが段を成している請求項１の差動噴出器。
【請求項１０】  更なる乱流及びトロイダル渦を発生させて、前記一次流体と前記二次流体の混合並びに結果として起こるそれらに対する作用を改良するために、前記第一及び第二の出口ポートの下流側の第２の壁部の内面に溝を更に有する請求項１の差動噴出器。
【請求項１１】  一次流体の流路を規定する内部通路を備える第１部分と、
前記第１部分の内部通路よりも大きく、部分間をまたいだ領域の内部通路を備える第２部分であって、前記第２部分の少なくとも一部は前記第１部分の下流側端部より下流に位置する第２部分と、
前記第１部分及び第２部分を接続し、第１部分及び第２部分を接続する接続壁を備える第３部分と、
前記第１部分の前記下流側端部の周辺の二次流体注入領域と、
前記接続壁の少なくとも一部に形成される複数の二次流体注入流路であって、前記接続壁内に集積的に形成され、前記二次流体注入領域が前記接続壁の内面に隣接するように前記接続壁の内面から出て行く二次流体注入流路
を備え、
前記複数の二次流体注入流路は第一及び第二の流路グループを含み、第一の流路グループは第二の流路グループと前記接続壁の内面の間に配置され、前記第一及び第二の流路グループは第一及び第二の出口ポートのそれぞれにおいて終端となり、前記第一及び第二の出口ポートの間に前記接続壁の一部が配置され、前記接続壁の一部は乱流が増加するように少なくとも１つの表面むらを有し、前記一次流体と前記二次流体の混合を改良するためにトロイダル渦を発生させるところの、
二流体を混合する混合装置。
【請求項１２】  前記流路が、前記接続壁を通じて集積的に形成されていると共に、一次流体の方向に対して約０から約２５度の角度で延びる請求項１１の混合装置。
【請求項１３】  前記角度が約１５度から約２５度である請求項１２の混合装置。
【請求項１４】  前記角度が約２０度の請求項１３の混合装置。
【請求項１５】  前記接続壁が、外側に向かって傾斜すると共に、前記第１部分の前記下流側端部から前記第２部分への一次流体の流速方向に傾斜する請求項１１の混合装置。
【請求項１６】  前記二次流体注入領域が、前記第１部分の前記下流側端部の前記周辺であって、前記第１部分の前記下流側端部の下流に位置する請求項１１の混合装置。
【請求項１７】  混合した一次流体及び二次流体が通過するためであって、前記一次流体及び二次流体を互いに溶解させるための、前記第２部分に接続された引き伸ばした導管を更に備える請求項１１の混合装置。
【請求項１８】  前記導管が約１フィートから約１００フィートの間の長さを有する請求項１７の混合装置。
【請求項１９】  前記導管が、約１フィートから約５０フィートの間の長さを有する請求項１７の混合装置。
【請求項２０】  前記導管が、約１フィートから約３０フィートの間の長さを有する請求項１７の混合装置。
【請求項２１】  前記導管が約１フィートから約１０フィートの間の長さを有する請求項１７の混合装置。
【請求項２２】  前記第２部分での一次流体及び二次流体の背圧を調整するために、前記第２部分に接続された背圧調整装置を更に備える請求項１１の混合装置。
【請求項２３】  前記背圧調整装置が、導管を備えると共に、閉鎖部及び流体抵抗発生部のいずれかとを前記導管の中に備え、前記閉鎖部及び流体抵抗発生部のいずれかと、前記導管の内壁との間に空間を形成する請求項２２の混合装置。
【請求項２４】  前記閉鎖部及び流体抵抗発生部のいずれかと、前記導管の内壁との間の空間を変形するため、前記閉鎖部及び流体抵抗発生部のいずれかが、前記導管の中で調整可能である請求項２３の混合装置。
【請求項２５】  前記導管が、前記閉鎖部の周辺に傾斜した壁を有すると共に、前記閉鎖部と前記傾斜した壁の間の距離を変えると、その結果背圧が変わるように、前記閉鎖部が一方向に動く請求項２４の混合装置。
【請求項２６】  前記閉鎖部に接続される引き伸ばしたスクリュー部を前記閉鎖部が有すると共に、前記引き伸ばしたスクリュー部を結合するためのネジが切られて固定された部材を備え、前記引き伸ばしたスクリュー部を回転させることにより、前記導管内での前記閉鎖部の位置が変わる請求項２５の混合装置。
【請求項２７】  前記少なくとも１つの表面むらが段を成している請求項１１の混合装置。
【請求項２８】  更なる乱流及びトロイダル渦を発生させて、前記一次流体と前記二次流体の混合並びに結果として起こるそれらに対する作用を改良するために、前記第一及び第二の出口ポートの下流側の前記第２部分の内面に溝を更に有する請求項１１の混合装置。
【請求項２９】  ベンチュリーを規定する壁を有する筒状流体導管を備え、前記ベンチュリーは前記筒状流体導管内に配置し、前記筒状流体導管は、前記ベンチュリーを通じて一次流体を提供し、一次流体を受け入れるための前記ベンチュリーの入口ポートと前記ベンチュリーの出口ポートとを規定する壁部を備え、前記ベンチュリーはスロート部を備え、
一次流体と混合するための少なくともひとつの二次流体を供給するための二次流体ポートであって、前記二次流体を二次流路に配送する二次流体ポートを備え、前記二次流路は前記筒状流体導管の壁部内に配置され、前記二次流路は、前記一次流体へ二次流体を提供するため、前記ベンチュリーの前記出力ポートの周辺に開口しており、前記二次流路は前記スロート部の下流位置で二次流体を供給し、前記二次流路は第一及び第二の流路グループを含み、第一の流路グループは第二の流路グループと筒状流体導管の内面の間に配置され、前記第一及び第二の流路グループは筒状流体導管の第一及び第二の出口ポートのそれぞれにおいて終端となり、前記第一及び第二の出口ポートの間に前記筒状流体導管の内面の一部が配置され、前記内面の一部は乱流が増加するように少なくとも１つの表面むらを有し、前記一次流体と前記二次流体の混合を改良するためにトロイダル渦を発生させるところの
流体装置内の混合用差動噴出器。
【請求項３０】  前記筒状流体導管が実質的に円筒形状を有し、筒状流体導管の中心部に同心状に環状空間を更に備える請求項２９の流体装置内の混合用差動噴出器。
【請求項３１】  前記筒状導管が合成樹脂素材で作られている請求項２９の流体装置内の混合用差動噴出器。
【請求項３２】  前記流路が前記筒状流体導管の前記壁部を通じて集積的に形成され、一次流体フローの方向に対して約０から約２５の角度で延びる請求項２９の流体装置内の混合用差動噴出器。
【請求項３３】  前記角度が約１５から約２５である請求項３２の流体装置内の混合用差動噴出器。
【請求項３４】  前記少なくとも１つの表面むらが段を成している請求項２９の差動噴出器。
【請求項３５】  更なる乱流及びトロイダル渦を発生させて、前記一次流体と前記二次流体の混合並びに結果として起こるそれらに対する作用を改良するために、前記第一及び第二の出口ポートの下流側の筒状流体導管の内面に溝を更に有する請求項２９の差動噴出器。
【請求項３６】  筒状流体導管の中に配置するベンチュリーを規定する壁を備え、前記ベンチュリーを通じて一次流体フローを提供して、一次流体フローを受け入れるための前記ベンチュリーの入口ポート、スロート部と出口ポートとを規定する壁部とを備える筒状流体導管と、
前記ベンチュリーを通じて流れる一次流体と連通し、二次流体を二次流路へ配送する二次流体ポートにおいて、前記二次流路は、前記筒状流体導管の壁部内に配置され、前記ベンチュリーのスロート部の下流側に位置する前記ベンチュリーの出口ポート領域の中に注入することによって二次流体を提供する二次流体ポートと、
前記二次流体ポートを囲み、少なくとも部分的にチャンバーを規定するハウジングであって、前記ハウジングから前記出力ポート領域に前記流路を介して二次流体を分配することにより、少なくとも部分的な真空を前記チャンバー内で形成する前記ハウジングとを備え、
前記二次流路は第一及び第二の流路グループを含み、第一の流路グループは第二の流路グループと筒状流体導管の内面の間に配置され、前記第一及び第二の流路グループは前記筒状流体導管内の第一及び第二の出口ポートのそれぞれにおいて終端となり、前記第一及び第二の出口ポートの間に前記筒状流体導管の内面の一部が配置され、前記内面の一部は乱流が増加するように少なくとも１つの表面むらを有し、前記一次流体と前記二次流体の混合を改良するためにトロイダル渦を発生させるところの
チャンバー内に真空状態を発生する差動噴出器。
【請求項３７】  前記筒状流体導管は筒状を有し、前記二次流体ポートは、前記筒状流体導管の中心部の同心上に環状空間を備える請求項３６のチャンバーに真空状態を発生する差動噴出器。
【請求項３８】  前記筒状流体導管が合成樹脂素材で作られた請求項３７のチャンバーに真空状態を発生する差動噴出器。
【請求項３９】  前記流路が、前記筒状流体導管の前記壁部を通じて集積的に形成され、一次流体フローの方向に対して、約０から約２５の角度で延びる請求項３６のチャンバーに真空状態を発生する差動噴出器。
【請求項４０】  前記角度が約１５から約２５である請求項３９のチャンバーに真空状態を発生する差動噴出器。
【請求項４１】  前記角度が約２０である請求項４０のチャンバーに真空状態を発生する差動噴出器。
【請求項４２】  前記少なくとも１つの表面むらが段を成している請求項３６の差動噴出器。
【請求項４３】  更なる乱流及びトロイダル渦を発生させて、前記一次流体と前記二次流体の混合並びに結果として起こるそれらに対する作用を改良するために、前記第一及び第二の出口ポートの下流側の前記筒状流体導管の内面に溝を更に有する請求項３６の差動噴出器。
【請求項４４】  チャンバー内に真空状態を発生する装置であって、
一次流体のフロー経路を規定する内部通路を有する第１部分と、
前記第１部分の内部通路よりも大きい断面領域の内部通路を有し、少なくとも一部が前記第１部分の下流側端部よりも下流に位置する第２部分と、
第１部分及び第２部分に接続され、第１部分及び第２部分を接続する接続壁を有する第３部分と、
前記第１部分の前記下流端部に隣接する二次流体注入領域と、
前記接続壁の少なくとも一部に形成される複数の二次流体注入流路であって、前記接続壁に集積的に形成され、前記二次流体注入領域が前記接続壁の内面に隣接するように、前記接続壁の内面に出る二次流体注入流路と、
前記第２部分及び第３部分の少なくともひとつの少なくとも一部を囲み、前記一次流体フロー経路中の一次流体に応答して前記二次流体が前記注入流路へと通過するハウジングであって、前記ハウジングから前記流路を経て前記注入領域に二次流体を配送する際に応答して少なくとも部分的な真空を形成する前記チャンバーの少なくとも一部を規定するハウジングとを備え、
前記複数の二次流体注入流路は第一及び第二の流路グループを含み、第一の流路グループは第二の流路グループと前記接続壁の内面の間に配置され、前記第一及び第二の流路グループは第一及び第二の出口ポートのそれぞれにおいて終端となり、前記第一及び第二の出口ポートの間に前記接続壁の一部が配置され、前記接続壁の一部は乱流が増加するように少なくとも１つの表面むらを有し、前記一次流体と前記二次流体の混合を改良するためにトロイダル渦を発生させるところの、
チャンバー内に真空状態を発生する装置。
【請求項４５】  前記二次流体注入流路が少なくとも前記接続壁を通じて、前記一次流体フロー経路とほぼ同じ方向に延びる請求項４４の装置。
【請求項４６】  前記流路が、前記接続壁を通じて集積的に形成されると共に、一次流体フローの方向に対して約０から２５の角度で延びる請求項４５の装置。
【請求項４７】  前記角度が約２５の請求項４６の装置。
【請求項４８】  前記角度が約２０の請求項４７の装置。
【請求項４９】  前記接続壁が、外側に、かつ、前記第１部分の前記下流端部から前記第２部分への一次流体の方向に傾いている請求項４４の装置。
【請求項５０】  前記二次流体注入領域が前記第１部分の前記下流端部に隣接し、前記第１部分の前記下流端部の下流にある請求項４４の装置。
【請求項５１】  前記少なくとも１つの表面むらが段を成している請求項４４の装置。
【請求項５２】  更なる乱流及びトロイダル渦を発生させて、前記一次流体と前記二次流体の混合並びに結果として起こるそれらに対する作用を改良するために、前記第一及び第二の出口ポートの下流側の第２部分の内面に溝を更に有する請求項４４の装置。